(57)【要約】【課題】  構成が簡単で、焦げがこびり付いたりせず、ソースなどが均一に混合されてバラツキのない、美味しい、焼そばなどの加熱処理食品を製造できる加熱処理食品製造装置およびそれを用いた加熱処理食品製造方法の提供。【解決手段】  一端部が開放されて開口部２が形成されている有底円筒状処理装置３をその長手方向中心軸４および開口部２、５同士が一致するように内部に収納して中心軸４の周りに処理装置３を回転できる有底円筒状外郭装置６と、処理装置３を加熱するための加熱手段７と、処理装置３の内側底部１０に処理装置３の中心軸４が中心となるように設置した回転軸１１に装着した攪拌器１２と、処理装置３を回転駆動するための処理装置回転駆動装置１３と回転軸１１を駆動するための回転軸駆動装置１４と、加熱処理食品製造装置１全体を中心軸４を通って直交する水平軸１５の回りに回転させる回転手段１６とを備えた加熱処理食品製造装置１により課題を解決できる。【選択図】  図１
2007007284.tif 000002
【特許請求の範囲】
【請求項１】
一端部が開放されて開口部が形成されている有底円筒状処理装置をその長手方向中心軸および開口部同士が一致するように内部に収納して前記中心軸の周りに前記処理装置を回転できる有底円筒状外郭装置と、前記処理装置を加熱するための加熱手段と、前記処理装置の内側底部に前記処理装置の前記中心軸が中心となるように設置した回転軸に装着した攪拌器と、前記処理装置を回転駆動するための処理装置回転駆動装置と前記回転軸を駆動するための回転軸駆動装置と、加熱処理食品製造装置全体を前記中心軸を通って直交する水平軸の回りに回転させる回転手段とを、備えたことを特徴とする加熱処理食品製造装置。
【請求項２】
前記攪拌器が少なくとも１つの櫛型攪拌器と少なくとも１つの平面翼型攪拌器とを備えたことを特徴とする請求項１記載の加熱処理食品製造装置。
【請求項３】
前記櫛型攪拌器は、前記回転軸に直角に前記処理装置の内壁面近傍まで延在して取り付けられ前記処理装置の底部に近接して回転する腕部と、その腕部の先端に前記腕部に直角に、かつ前記中心軸に平行に所定の長さ延在して取り付けられ前記処理装置の内壁面に沿って回転する櫛部を備えて構成されており、
前記平面翼型攪拌器は、前記櫛型攪拌器の取り付け位置と異なる位置に回転軸に直角に取り付けた固定軸と、前記固定軸にその長手方向中央部が固定された平面翼を備えて構成されており、
そして前記平面翼の面が前記回転軸に対して所定の傾斜角度θで傾斜して設置されて、その底部側端部が前記処理装置の底部に近接して回転し、その内壁面側端部が前記処理装置の内壁面に沿って回転する構成としたことを特徴とする請求項２記載の加熱処理食品製造装置。
【請求項４】
前記櫛型攪拌器と前記平面翼型攪拌器が少なくとも各１個が前記回転軸を中心にして相対して設置され、隣接する攪拌器の設置角度が２０〜１８０°であることを特徴とする請求項２あるいは請求項３記載の加熱処理食品製造装置。
【請求項５】
前記傾斜角度θが１０〜６０°であることを特徴とする請求項３あるいは請求項４記載の加熱処理食品製造装置。
【請求項６】
請求項１から請求項５のいずれかに記載の加熱処理食品製造装置を用いて、下記の工程（１）〜（６）により加熱処理食品を製造することを特徴とする加熱処理食品製造方法。
（１）前記回転手段を作動して加熱処理食品製造装置全体を前記水平軸の回りに回転して前記開口部が前面を向く位置に固定し、前記有底円筒状処理装置を前記加熱手段により所定の加熱処理温度に加熱する。
（２）そして、前記処理装置回転駆動装置および／または前記回転軸駆動装置を作動して前記処理装置および／または前記回転軸を回転させる。
（３）前記開口部から必要に応じて食用油および／または水を所定量入れた後、加熱処理食品原料を所定量入れ、前記処理装置および／または前記攪拌器の回転により攪拌を繰り返す。
（４）必要に応じて前記開口部から所定量の野菜、調味料を含む加熱処理副原料や水を添加して均一に混合する。
（５）加熱処理が完了した後、前記処理装置および／または前記回転軸の回転を停止させ、加熱処理食品を前記開口部から取り出し、必要に応じて容器に入れて包装する。
（６）さらに加熱処理食品を製造する時は、必要に応じて焦げやかすを除去したり、水洗した後、前記（１）〜（５）の工程を繰り返す。
【発明の詳細な説明】
【技術分野】
【０００１】
本発明は、加熱処理食品製造装置およびそれを用いた加熱処理食品製造方法に関するものであり、さらに詳細には、焼そば、チャーハン、焼うどん、スパゲッテイなど、コーヒー豆、大豆などの食用粉体や粒体の焙煎あるいはチャーハン、ピラフなどの加熱処理食品を製造するための装置およびそれを用いた加熱処理食品の製造方法に関するものである。
【背景技術】
【０００２】
従来、焼そばなどの炒め食品を製造するためには、加熱した鉄板などの上に食用油を適用した後、蒸し麺などの原料をのせて人手により箆などで適宜攪拌しながら炒め、さらに野菜などを載せて同様に攪拌しながら炒め、ソースなどの調味料を添加して攪拌して製造していた。人手により攪拌しながら炒める従来の製法は、手間がかかる上、焦げが鉄板などにこびり付いたり、ソースなどが均一に混合されずソースがかかった部分とかからない部分が生じバラツキがでる問題があった。
そこで、チェーンコンベアを用いて連続的に炒め食品を製造したり（特許文献１参照）、加熱した鉄板上での攪拌を機械的に行うようにした調理機（特許文献２参照）、回転する加熱ドラム中で米飯を連続的に炒める装置（特許文献３参照）、鍋を機械的に傾斜させて鍋中の材料を隅によせ掻き混ぜることができる炒め調理機（特許文献４参照）などが提案されている。
【特許文献１】特開平８−３８３６６号公報
【特許文献２】特開２００４−１１３５８３号公報
【特許文献３】特開２００４−２４７０３号公報
【特許文献４】特開２０００−３２５２３８号公報
【発明の開示】
【発明が解決しようとする課題】
【０００３】
しかし従来の方法によれば、機械的に攪拌などを行うので手間が省けるが、機構が複雑であり、大量生産には適するが、少量生産には不向きであるなどの問題があった。
本発明の第１の目的は、手間が省ける上、焦げがこびり付いたりせず、ソースなどが均一に混合されてバラツキのない、美味しい、焼そば、チャーハン、ピラフ、焼うどん、スパゲッテイ、野菜炒めなどの炒め食品やコーヒー豆、大豆などの焙煎品、あるいは煮物などを大量生産する場合もあるいは少量生産する場合も好適に使用できる構成が簡単な加熱処理食品製造装置を提供することであり、
本発明の第２の目的は、それを用いて加熱処理食品を容易に製造する方法を提供することである。
【課題を解決するための手段】
【０００４】
前記課題を解決するための本発明の請求項１記載の発明は、一端部が開放されて開口部が形成されている有底円筒状処理装置をその長手方向中心軸および開口部同士が一致するように内部に収納して前記中心軸の周りに前記処理装置を回転できる有底円筒状外郭装置と、前記処理装置を加熱するための加熱手段と、前記処理装置の内側底部に前記処理装置の前記中心軸が中心となるように設置した回転軸に装着した攪拌器と、前記処理装置を回転駆動するための処理装置回転駆動装置と前記回転軸を駆動するための回転軸駆動装置と、加熱処理食品製造装置全体を前記中心軸を通って直交する水平軸の回りに回転させる回転手段とを、備えたことを特徴とする加熱処理食品製造装置である。
【０００５】
本発明の請求項２記載の発明は、請求項１記載の加熱処理食品製造装置において、前記攪拌器が少なくとも１つの櫛型攪拌器と少なくとも１つの平面翼型攪拌器とを備えたことを特徴とする。
【０００６】
本発明の請求項３記載の発明は、請求項２記載の加熱処理食品製造装置において、前記櫛型攪拌器は、前記回転軸に直角に前記処理装置の内壁面近傍まで延在して取り付けられ前記処理装置の底部に近接して回転する腕部と、その腕部の先端に前記腕部に直角に、かつ前記中心軸に平行に所定の長さ延在して取り付けられ前記処理装置の内壁面に沿って回転する櫛部を備えて構成されており、
前記平面翼型攪拌器は、前記櫛型攪拌器の取り付け位置と異なる位置に回転軸に直角に取り付けた固定軸と、前記固定軸にその長手方向中央部が固定された平面翼を備えて構成されており、
そして前記平面翼の面が前記回転軸に対して所定の傾斜角度θで傾斜して設置されて、その底部側端部が前記処理装置の底部に近接して回転し、その内壁面側端部が前記処理装置の内壁面に沿って回転する構成としたことを特徴とする。
【０００７】
本発明の請求項４記載の発明は、請求項２あるいは請求項３記載の加熱処理食品製造装置において、前記櫛型攪拌器と前記平面翼型攪拌器が少なくとも各１個が前記回転軸を中心にして相対して設置され、隣接する攪拌器の設置角度が２０〜１８０°であることを特徴とする。
【０００８】
本発明の請求項５記載の発明は請求項３あるいは請求項４記載の加熱処理食品製造装置において、前記傾斜角度θが１０〜６０°であることを特徴とする。
【０００９】
本発明の請求項６記載の発明は、請求項１から請求項５のいずれかに記載の加熱処理食品製造装置を用いて、下記の工程（１）〜（６）により加熱処理食品を製造することを特徴とする加熱処理食品製造方法である。
（１）前記回転手段を作動して加熱処理食品製造装置全体を前記水平軸の回りに回転して前記開口部が前面を向く位置に固定し、前記有底円筒状処理装置を前記加熱手段により所定の加熱処理温度に加熱する。
（２）そして、前記処理装置回転駆動装置および／または前記回転軸駆動装置を作動して前記処理装置および／または前記回転軸を回転させる。
（３）前記開口部から必要に応じて食用油および／または水を所定量入れた後、加熱処理食品原料を所定量入れ、前記処理装置および／または前記攪拌器の回転により攪拌を繰り返す。
（４）必要に応じて前記開口部から所定量の野菜、調味料を含む加熱処理副原料や水を添加して均一に混合する。
（５）加熱処理が完了した後、前記処理装置および／または前記回転軸の回転を停止させ、加熱処理食品を前記開口部から取り出し、必要に応じて容器に入れて包装する。
（６）さらに加熱処理食品を製造する時は、必要に応じて焦げやかすを除去したり、水洗した後、前記（１）〜（５）の工程を繰り返す。
【発明の効果】
【００１０】
本発明の請求項１記載の加熱処理食品製造装置は、一端部が開放されて開口部が形成されている有底円筒状処理装置をその長手方向中心軸および開口部同士が一致するように内部に収納して前記中心軸の周りに前記処理装置を回転できる有底円筒状外郭装置と、前記処理装置を加熱するための加熱手段と、前記処理装置の内側底部に前記処理装置の前記中心軸が中心となるように設置した回転軸に装着した攪拌器と、前記処理装置を回転駆動するための処理装置回転駆動装置と前記回転軸を駆動するための回転軸駆動装置と、加熱処理食品製造装置全体を前記中心軸を通って直交する水平軸の回りに回転させる回転手段とを、備えたことを特徴とするものであり、
手間が省ける上、焦げがこびり付いたりせず、ソースなどが均一に混合されてバラツキのない、美味しい、焼そば、チャーハン、ピラフ、焼うどん、スパゲッテイ、野菜炒めなどの炒め食品やコーヒー豆、大豆などの焙煎品、あるいは煮物などを大量生産する場合もあるいは少量生産する場合も好適に使用できるという、顕著な効果を奏する。
【００１１】
本発明の請求項２記載の発明は、請求項１記載の加熱処理食品製造装置において、前記攪拌器が少なくとも１つの櫛型攪拌器と少なくとも１つの平面翼型攪拌器とを備えたことを特徴とするものであり、
加熱処理食品が細長くても、あるいは粉粒体などであっても攪拌を効率よく行えるので、食品を劣化させずに短時間で加熱処理食品を製造できるという、さらなる顕著な効果を奏する。
【００１２】
本発明の請求項３記載の発明は、請求項２記載の加熱処理食品製造装置において、前記櫛型攪拌器は、前記回転軸に直角に前記処理装置の内壁面近傍まで延在して取り付けられ前記処理装置の底部に近接して回転する腕部と、その腕部の先端に前記腕部に直角に、かつ前記中心軸に平行に所定の長さ延在して取り付けられ前記処理装置の内壁面に沿って回転する櫛部を備えて構成されており、
前記平面翼型攪拌器は、前記櫛型攪拌器の取り付け位置と異なる位置に回転軸に直角に取り付けた固定軸と、前記固定軸にその長手方向中央部が固定された平面翼を備えて構成されており、
そして前記平面翼の面が前記回転軸に対して所定の傾斜角度θで傾斜して設置されて、その底部側端部が前記処理装置の底部に近接して回転し、その内壁面側端部が前記処理装置の内壁面に沿って回転する構成としたことを特徴とするものであり、
簡単な構成の櫛型攪拌器と平面翼型攪拌器により容易に均一に攪拌混合ができるので、焦げがこびり付いたりせず、均一に混合されてバラツキのない、美味しい加熱処理食品を製造できるという、さらなる顕著な効果を奏する。
【００１３】
本発明の請求項４記載の発明は、請求項２あるいは請求項３記載の加熱処理食品製造装置において、前記櫛型攪拌器と前記平面翼型攪拌器が少なくとも各１個が前記回転軸を中心にして相対して設置され、隣接する攪拌器の設置角度が２０〜１８０°であることを特徴とするものであり、
さらに簡単な構成の櫛型攪拌器と平面翼型攪拌器により容易に均一に攪拌混合できるので、焦げがこびり付いたりせず、均一に混合されてバラツキのない、美味しい加熱処理食品を製造できるという、さらなる顕著な効果を奏する。
【００１４】
本発明の請求項５記載の発明は請求項３あるいは請求項４記載の加熱処理食品製造装置において、前記傾斜角度θが１０〜６０°であることを特徴とするものであり、
前記傾斜角度θが１０〜６０°の平面翼型攪拌器により攪拌混合が促進されるため、より均一に混合されてバラツキのない美味しい加熱処理食品を製造できるという、さらなる顕著な効果を奏する。
【００１５】
本発明の請求項６は、請求項１から請求項５のいずれかに記載の加熱処理食品製造装置を用いて、前記の工程（１）〜（６）により加熱処理食品を製造することを特徴とする加熱処理食品製造方法であり、加熱処理食品を容易に製造できるという、顕著な効果を奏する。
【発明を実施するための最良の形態】
【００１６】
次に本発明の内容を図を用いて詳細に説明する。
図１は、その開口部を上にした時の本発明の加熱処理食品製造装置の１例を説明する断面説明図であり、図２は、図１に示した本発明の加熱処理食品製造装置を回転してほぼ水平にした時の断面説明図であり、図３は、図２に示した本発明の加熱処理食品製造装置を開口部から内部を見た際の断面説明図である。
【００１７】
図１〜３に示したように、本発明の加熱処理食品製造装置１は、一端部が開放されて開口部２が形成されている有底円筒状処理装置３をその長手方向中心軸４および開口部２、５同士が一致するように内部に収納して前記中心軸４の周りに前記処理装置３を回転できる有底円筒状外郭装置６を備えている。
【００１８】
３−１は有底円筒状処理装置３中で加熱処理される食品が外部にでないようにするための開口部２周縁に設けた壁である。
【００１９】
６−１は有底円筒状外郭装置６の底部、６−２は有底円筒状処理装置３を支持しつつ摺動させる支持摺動部である。
【００２０】
７は前記処理装置３を所定の温度に加熱するためのヒータ、電磁誘導コイルなどの加熱手段であり、前記処理装置３の外面には接触しないように固定されて設置されている。８は制御装置９中に設置された加熱手段７に電力供給するインバータなどである。
【００２１】
また、本発明の加熱処理食品製造装置１は、前記処理装置３の内側底部１０に前記処理装置３の前記中心軸４が中心となるように設置した回転軸１１に装着した攪拌器１２と、前記処理装置３を回転駆動するための処理装置回転駆動装置１３（例えばギヤードモータなど）を内側に備え、前記回転軸１１を駆動するための回転軸駆動装置１４（例えばギヤードモータなど）を外側に備える構成（２重駆動構造）となっているとともに、加熱処理食品製造装置１全体を前記中心軸４を通って直交する水平軸１５の回りに回転させる回転手段１６を備えている。
【００２２】
前記攪拌器１２は１つの櫛型攪拌器１２−１を備えており、そして櫛型攪拌器１２−１は、前記回転軸１１に直角に前記処理装置３の内壁面３−２近傍まで延在して取り付けられ前記処理装置３の内部底部１０に近接して回転する腕部１２−２と、その腕部１２−２の先端に前記腕部１２−２に直角に、かつ前記中心軸４に平行に所定の長さ延在して取り付けられ前記処理装置３の内壁面３−２に沿って回転する櫛部１２−３を備えて構成されている。１２−４は櫛部１２−３の所定の位置に前記中心軸４に直角に設置した複数の攪拌用の櫛棒である。
【００２３】
１７は支持装置であり、図示しない他の支持装置とともに本発明の加熱処理食品製造装置１全体を支持する。
制御装置９は加熱処理食品製造装置１全体の回転や、前記処理装置３および回転軸１１の回転を制御したり、加熱処理食品の種類、仕込量、硬・軟などの仕上げに応じて、加熱温度、処理時間、各回転速度などを制御する。
【００２４】
上記例では、櫛型攪拌器１２−１を回転軸１１の所定の位置に装着した例を示したが、櫛型攪拌器１２−１とともに別に平面翼型攪拌器を装着することができる。各々１つ以上装着すると攪拌混合が向上し、均一に混合されてバラツキが低減する。
【００２５】
図４は、櫛型攪拌器１２−１と平面翼型攪拌器１２−５とを備えた本発明の他の加熱処理食品製造装置１Ａを説明する説明図である。
図５は、図４に示した本発明の他の加熱処理食品製造装置１Ａの平面翼型攪拌器１２−５の平面翼の傾斜角度θを説明する説明図である。
図４、５において図１〜３と同じ符号のものは、図１〜３と同じものを示し、説明を省略する。
櫛型攪拌器１２−１は前記図１〜３に示した櫛型攪拌器１２−１と同じ構成になっており、そして前記平面翼型攪拌器１２−５は、櫛型攪拌器１２−１の取り付け位置と相対する位置（設置角度１８０°）に回転軸１１に直角に取り付けた固定軸１２−６と、前記固定軸１２−６にその長手方向中央部が固定された平面翼１２−７を備えて構成されており、そして前記平面翼１２−７は、その平面が前記回転軸１１に対して所定の傾斜角度θで傾斜して設置されているとともに、内部底部１０の側の端部が前記処理装置３の内部の底部１０に近接して回転し、その内壁面３−２側の端部が前記処理装置３の内壁面３−２に沿って回転するように構成されている以外は、例え図４に記載がなくても前記図１〜３に示した加熱処理食品製造装置１と同様になっている。
【００２６】
本発明の加熱処理食品製造装置１、１Ａを構成する各材料の材質は特に限定されないが、スチールやステンレススチールは好ましく使用できる。特に食品材料と直接接触する面はスチールやステンレススチールで構成されることが好ましく、しかも平滑面であることが焦げがこびり付いたりし難いので好ましい。
【００２７】
本発明の加熱処理食品製造装置１、１Ａは、構成が簡単で、手間が省ける上、回転軸１１、内壁面３−２、櫛型攪拌器１２−１、平面翼型攪拌器１２−５などの表面に焦げがこびり付いたりせず、櫛型攪拌器１２−１および／または平面翼型攪拌器１２−５によって、材料を均一に攪拌混合できるので、ソースなどが均一に混合されてバラツキのない、美味しい、焼そば、チャーハン、ピラフ、焼うどん、スパゲッテイ、野菜炒めなどの炒め食品やコーヒー豆、大豆などの焙煎品、あるいは煮物などの加熱処理食品を製造できる。
【００２８】
櫛型攪拌器１２−１と平面翼型攪拌器１２−５が少なくとも各１個が回転軸１１を中心にして相対して設置され、隣接する攪拌器の設置角度が２０〜１８０°であると、櫛型攪拌器１２−１と平面翼型攪拌器１２−５により容易に均一に攪拌混合できるので、焦げがこびり付いたりせず、均一に混合されてバラツキのない、美味しい加熱処理食品を製造できる。
【００２９】
有底円筒状処理装置３の内径ａや深さｂは特に限定されるものではないが、このａ、ｂが次式（１）で表される範囲内であると、加熱処理作業を行い易くなるので好ましい。
（ａ／２）≦ｂ≦２ａ    式（１）
【００３０】
前記傾斜角度θは１０〜６０°が好ましく、２０〜４０°がさらに好ましい。前記傾斜角度θが１０〜６０°であると、平面翼型攪拌器１２−５による攪拌混合が促進されるため、より均一に混合されてバラツキのない美味しい炒め食品を製造できる。前記傾斜角度θが１０°未満あるいは６０°を超えると攪拌混合が不十分でバラツキでる恐れがある。
【００３１】
本発明の加熱処理食品製造装置１Ａを用いて加熱処理食品を製造する際の好ましい工程について説明する。
（１）図４に示した本発明の加熱処理食品製造装置１Ａの電動機などの回転手段１６を作動して、本発明の加熱処理食品製造装置１Ａ全体を水平軸１５の回りにゆっくり回転して開口部２、５が前面を向く位置に固定する。
【００３２】
攪拌混合される食品材料の種類や量によっては開口部２、５が少し上向く位置に固定すると、加熱処理する食品材料が外にこぼれるのを防止したり、抑制できるので好ましい。
【００３３】
逆に、攪拌混合される食品材料の種類や量によっては開口部２、５が少し下向く位置に固定する。すなわち、有底円筒状処理装置３内で食品材料を攪拌混合する際に、攪拌混合される食品材料が自動的に開口部２の側に移動すると、取り扱い易くなり、かつ野菜などを開口部２から入れて攪拌混合し易くなるために、本発明の加熱処理食品製造装置１Ａの長手方向中心軸４が開口部２側に向かって下方に傾斜（水平位置より約３〜５°程度）するようにして固定する。
【００３４】
そして有底円筒状処理装置３を電熱ヒータや過熱水蒸気などを用いる公知の加熱手段７により所定の加熱処理温度（例えば、約６０℃〜３００°Ｃ程度）に加熱する。
【００３５】
（２）そして前記処理装置回転駆動装置１３および／または前記回転軸駆動装置１４を作動して前記処理装置３および／または前記回転軸１１を回転させる。前記処理装置３および前記回転軸１１を回転させる場合、その回転方向および回転速度は同一でもよく、あるいは異なっていてもよく、加熱処理食品原料に応じて適宜選択して行うことが好ましい。
【００３６】
（３）次いで前記開口部２から必要に応じて食用油および／または水を所定量入れた後、加熱処理食品原料を所定量入れ、前記処理装置３および／または前記攪拌器１１の回転により攪拌を繰り返す。当初はゆっくり回転させ、次いで低速で回転させるなど攪拌混合する加熱処理食品原料に応じて行うことが好ましい。
例えば開口部２から食用油および／または水を所定量入れ前記処理装置３の内壁面３−２上に均一に拡げた後、蒸しそばなどの加熱処理食品原料を所定量入れ、回転する櫛型攪拌器１２−１により加熱処理食品原料を掬い上げた後、前記処理装置３の内壁面３−２に落下させる攪拌を行うとともに、内壁面３−２に落下した加熱処理食品原料を平面翼型攪拌器１２−５により掻き集めた後、前記処理装置３の内壁面３−２に落下させる攪拌を所定時間（例えば約１０分程度）繰り返す。
【００３７】
（４）さらに必要に応じて前記開口部２から所定量のカット野菜類やソース、醤油などの調味料を含む加熱処理副原料や水を添加して均一に混合する。
（５）そして、加熱処理が完了した後、前記処理装置３および／または前記回転軸１１の回転を停止させ、加熱処理食品を前記開口部２から取り出し、必要に応じて容器に入れて包装する。
（６）さらに加熱処理食品を製造する時は、必要に応じて焦げやかすを除去したり、水洗した後、前記（１）〜（５）の工程を繰り返す。
【００３８】
本発明の加熱処理食品製造装置１、１Ａは装置自体を大型にして、例えば食品工場内に設置して、前記（１）〜（５）の工程を繰り返すようにすれば大量生産することが可能である。
本発明の加熱処理食品製造装置１、１Ａは装置自体を小型にすれば、例えば家庭内に設置して小人数のために少量作ることも可能である。
【００３９】
なお、上記実施形態の説明は、本発明を説明するためのものであって、特許請求の範囲に記載の発明を限定し、或は範囲を減縮するものではない。又、本発明の各部構成は上記実施形態に限らず、特許請求の範囲に記載の技術的範囲内で種々の変形が可能である。
【００４０】
例えば上記実施形態の説明においては、本発明の加熱処理食品製造装置１、１Ａ全体を水平軸１５の回りに回転して開口部２、５が前面を向く位置に固定して加熱処理食品を製造する例を示したが、攪拌混合される食品材料の種類によっては図１に示したように本発明の加熱処理食品製造装置１の開口部２、５が上を向く位置に固定したり、あるいは本発明の加熱処理食品製造装置１全体を水平軸１５の回りに回転して開口部２、５が適宜の角度で上を向く位置に固定したりするなどして加熱処理食品を製造することもできる。例えば、コーヒー豆、大豆などの焙煎品を製造する時はこの方法が好ましい。
このようにして加熱処理食品を製造した後は、本発明の加熱処理食品製造装置１、１Ａ全体を水平軸１５の回りにゆっくり回転して開口部２、５が前面を向くようにしたり、少し下を向くようにして加熱処理した加熱処理食品を取り出すことができる。
【実施例】
【００４１】
次に実施例および比較例により本発明を詳しく説明するが、本発明の主旨を逸脱しない限りこれらの実施例に限定されるものではない。
（実施例１）
図４に示した本発明の加熱処理食品製造装置１Ａの電動機などの回転手段１６を作動して、本発明の加熱処理食品製造装置１Ａ全体を水平軸１５の回りにゆっくり回転して開口部２、５が前面を向く位置に固定した。そして、有底円筒状処理装置３を電磁誘導加熱コイルを用いる加熱手段７により約２５０°Ｃに加熱した。
【００４２】
そして、処理装置回転駆動装置１３を作動して処理装置３をゆっくり（約１０ｒｐｍでゆっくり）回転させながら、開口部２から大豆油１，０００ｇ投入して２分間回転させ、さらに大豆油２，０００ｇ投入して１分間回転させ、処理装置３の内壁面３−２上に均一に大豆油を拡げた。その後、キャベツ６，０００ｇ、玉ねぎ４，０００ｇ投入し処理装置３を低速度で（約２０〜２５ｒｐｍ）２分間回転させ、残りの大豆油３，０００ｇ投入して回転させながら混合し加熱処理した。
【００４３】
そして、原料蒸しそば２０，０００ｇを投入して処理装置３を低速度で（約２０〜２５ｒｐｍ）回転させるとともに、回転軸駆動装置１４を作動して回転軸１１を低速度で（約１０ｒｐｍ）回転させ、櫛型攪拌器１２−１と平面翼型攪拌器１２−５の回転により１分間攪拌混合し加熱処理した。次いで水１，２００ｇを投入してさらに２分間攪拌混合し加熱処理した。
【００４４】
その後、ソース１３，０００ｇ、香辛料適量投入し、処理装置３を高速度で（約３５〜４０ｒｐｍ）回転させるとともに回転軸１１を高速度で（約２０〜２５ｒｐｍ）回転させ櫛型攪拌器１２−１と平面翼型攪拌器１２−５の回転により１０分間攪拌混合し加熱処理した。
【００４５】
その後、加熱を停止し、処理装置３を低速度で（約２０〜２５ｒｐｍ）回転させるとともに回転軸１１を低速度で（約２０〜２５ｒｐｍ）回転させ、１分間攪拌混合し加熱処理攪拌した。
【００４６】
加熱処理が完了した後、加熱処理食品（焼きそば）を開口部２から取り出し容器に入れて包装した。
焦げがこびり付いたりせず、ソースや野菜などが均一に混合されてバラツキのない、美味しい加熱処理食品（焼きそば）が得られた。
【００４７】
さらに加熱処理食品を製造するため、前記工程を繰り返した。
【産業上の利用可能性】
【００４８】
本発明の加熱処理食品製造装置は構成が簡単で、手間が省ける上、焦げがこびり付いたりせず、ソースなどが均一に混合されてバラツキのない、美味しい、焼そば、チャーハン、焼うどん、スパゲッテイ、野菜炒めなどの炒め食品やコーヒー豆、大豆などの焙煎品、あるいは煮物などの加熱処理食品を大量生産する場合もあるいは少量生産する場合も好適に使用できるという、顕著な効果を奏するものであり、そして本発明の加熱処理食品製造方法により、大量生産する場合もあるいは少量生産する場合も加熱処理食品を容易に製造できるという、顕著な効果を奏するので、産業上の利用価値は甚だ大きい。
【図面の簡単な説明】
【００４９】
【図１】開口部を上にした時の本発明の加熱処理食品製造装置の１例を説明する断面説明図である。
【図２】図１に示した本発明の加熱処理食品製造装置を回転してほぼ水平にした時の断面説明図である。
【図３】図２に示した本発明の加熱処理食品製造装置を開口部から内部を見た際の断面説明図である。
【図４】櫛型攪拌器と平面翼型攪拌器とを備えた本発明の他の加熱処理食品製造装置を説明する説明図である。
【図５】図４に示した本発明の他の加熱処理食品製造装置の櫛型攪拌器の平面翼の傾斜角度θを説明する説明図である。
【符号の説明】
【００５０】
ａ  有底円筒状処理装置の内径
ｂ  有底円筒状処理装置の深さ
θ  平面翼の傾斜角度
１、１Ａ  加熱処理食品製造装置
２、５  開口部
３  有底円筒状処理装置
３−１  壁
３−２  内壁面
４  長手方向中心軸
６  有底円筒状外郭装置
６−１  底部
６−２  支持摺動部
７  加熱手段
８  インバータなど
９  制御装置
１０  内側底部
１１  回転軸
１２  攪拌器
１２−１  櫛型攪拌器
１２−２  腕部
１２−３  櫛部
１２−４  櫛棒
１２−５  平面翼型攪拌器
１２−６  固定軸
１２−７  平面翼
１３  処理装置回転駆動装置
１４  回転軸駆動装置
１５  水平軸
１６  回転手段
１７  支持装置
【図１】
2007007284.tif 000003
【図２】
2007007284.tif 000004
【図３】
2007007284.tif 000005
【図４】
2007007284.tif 000006
【図５】
2007007284.tif 000007